(57)【要約】【課題】本発明は、利便性が良く、十分な操作性を有しており、さらにシステム全体のコスト高を抑制することができるエレベータ用監視システムを提供する。【解決手段】本発明に係わるエレベータ用監視システムは、階入力部２、画像記録装置４およびコントローラ部６等を備えている。階入力部２は、乗りかご１内に設置されており、複数の入力部から構成されており、乗りかご１の停止階の操作が可能である。画像記録装置は、乗りかご１に設置されたカメラで撮像された画像の記録および当該画像の再生が可能である。画像記録装置操作モード時には、コントローラ部６は、前記階入力部を構成する前記入力部と前記画像記録再生装置に対する操作との対応関係に従い、階入力部２を画像記録装置４の操作部として機能させる。【選択図】図１
2007238192.tif 000002
【特許請求の範囲】
【請求項１】
乗りかごと、
前記乗りかご内に設置されており、複数の入力部から構成されており、前記乗りかごの停止階の操作が可能な階入力部と、
前記乗りかごに設置されており、前記乗りかご内を撮像するカメラと、
前記カメラで撮像された画像の記録および当該画像の再生が可能な画像記録再生装置と、
エレベータの運転に関する制御を行うコントローラ部と、を備えており、
前記画像記録再生装置の操作が可能な画像記録再生装置操作モード時には、前記コントローラ部は、
前記階入力部を構成する前記入力部と前記画像記録再生装置に対する操作との対応関係に従い、前記階入力部を前記画像記録再生装置の操作部として機能させる、
ことを特徴とするエレベータ用監視システム。
【請求項２】
前記乗りかご内に設置されており、前記画像記録再生装置が記録している画像の表示が可能な表示部を、さらに備えており、
前記画像記録再生装置操作モード時に、前記表示部には、
前記階入力部を構成する前記入力部と前記画像記録再生装置に対する操作との前記対応関係を示す画像が表示される、
ことを特徴とする請求項１に記載のエレベータ用監視システム。
【請求項３】
前記コントローラ部は、
前記階入力部を構成する前記入力部と前記画像記録再生装置に対する操作との前記対応関係の設定が可能であり、前記階入力部を構成する所定の入力部からの入力と前記対応関係とに基づいて、前記画像記録再生装置に対して所定の操作を制御する、
ことを特徴とする請求項１に記載のエレベータ用監視システム。
【請求項４】
前記コントローラ部は、
書き換え可能な記憶部を有しており、
前記記憶部には、
前記階入力部を構成する前記入力部と前記画像記録再生装置に対する操作との前記対応関係が、記憶される、
ことを特徴とする請求項３に記載のエレベータ用監視システム。
【請求項５】
乗りかごと、
前記乗りかごに設置されており、前記乗りかご内を撮像するカメラと、
前記カメラで撮像された画像の記録が可能な画像記録再生装置と、
前記画像記録再生装置に所定のコマンドを送信することにより、前記画像記録再生装置に対する操作を制御するコマンドシステムを有するコントローラ部と、を備えるエレベータ用監視システムにおいて、
前記乗りかご内に設置されており、複数の入力部から構成されており、前記乗りかごの停止階の操作が可能な階入力部を、さらに備えており、
前記コントローラ部は、
前記階入力部を構成する前記入力部と前記画像記録再生装置に対する操作との対応関係の設定が可能であり、
前記階入力部を構成する所定の前記入力部からの入力を受信し、前記コマンドシステムを利用することにより、前記所定の入力部からの前記入力と前記対応関係とに基づいて前記画像記録再生装置に対して所定の操作制御を行う、
ことを特徴とするエレベータ用監視システム。
【請求項６】
前記エレベータ用監視システムは、
所定の通信網を介して、外部に存する外部装置と接続されている、
ことを特徴とする請求項１または請求項５に記載のエレベータ用監視システム。
【発明の詳細な説明】
【技術分野】
【０００１】
この発明は、エレベータ用監視システムに係る発明である。
【背景技術】
【０００２】
従来より、エレベータを利用する人の安全性を確保する目的で、エレベータの乗りかご内には監視カメラが設置されている。また、当該監視カメラで撮像された画像を記録が可能であり、当該記録されている画像の再生が可能な画像記録再生装置（以下、単に画像記録装置と称する）が、エレベータの乗りかご上に設置されている。保守員等が当該画像記録装置に記録されている画像を再生する際には、従来の一方法では、当該保守員等が乗りかご外に存する画像記録装置を直接操作していた。
【０００３】
しかし、このように画像記録装置を直接操作する場合には、長時間の作業時間を要する。つまり、作業効率が悪かった。
【０００４】
そこで従来の他の方法では、たとえば遠隔操作可能な無線式のリモートコントローラを用いて、乗りかご内から、乗りかご外に存する画像記録装置を操作していた。
【０００５】
また、上記乗りかご上に設置されている画像記録装置から信号線を引き伸ばし、当該引き出した信号線の終端に操作装置を接続し、当該操作装置を乗りかご内に設置する形態の技術も従来存在していた（たとえば、特許文献１）。つまり、当該従来技術では、画像記録装置と操作装置とが、信号線を介して乗りかごの内外に別個に設置されていた。
【０００６】
なお、本発明に関連する発明（つまり、インターホンの呼び釦を画像記録装置の停止操作と連動させ、通常は施錠された中に配設される停止スイッチを画像記録装置の再録画操作と連動させた発明）として、特許文献２が存在する。
【０００７】
【特許文献１】特開平１１−９２０６２号公報
【特許文献２】特開平１１−２１７１６９号公報
【発明の開示】
【発明が解決しようとする課題】
【０００８】
上記において、操作部として無線式のリモートコントローラを採用した場合には、保守員等が毎回当該リモートコントローラを持ち運ぶ必要があり、利便性はよくなかった。
【０００９】
また、信号線を介して乗りかご内に操作装置を別途設置する技術を採用すれば、保守員等はリモートコントローラを持ち運ぶ必要は無い。ところが、当該エレベータの操作（たとえば昇降操作、ドアの開閉操作、緊急時用の操作等）の目的で、既に乗りかご内には多くの操作部が設置されている。つまり、乗りかご内には、余分のスペースがほとんど無い。
【００１０】
したがって、信号線を介して乗りかご内に操作装置を別途設置した場合、当該操作装置は小さいものを採用せざるを得なかった。つまり、当該操作装置には、画像記録装置を操作するための多くの操作部を設けることができなかった。したがって、画像記録装置を操作する当該操作装置に、十分な操作性を持たせることができなかった。
【００１１】
また、リモートコントローラを採用した場合においても、また信号線を介して乗りかご内に操作装置を別途設ける技術を採用した場合においても、別部材が必要となるため、エレベータ用監視システムがコスト高となっていた。
【００１２】
そこで、本発明は、利便性が良く、十分な操作性を有しており、さらにシステム全体のコスト高を抑制することができるエレベータ用監視システムを提供することを目的とする。
【課題を解決するための手段】
【００１３】
上記の目的を達成するために、本発明に係る請求項１に記載のエレベータ用監視システムは、乗りかごと、前記乗りかご内に設置されており、複数の入力部から構成されており、前記乗りかごの停止階の操作が可能な階入力部と、前記乗りかごに設置されており、前記乗りかご内を撮像するカメラと、前記カメラで撮像された画像の記録および当該画像の再生がが可能な画像記録装置と、エレベータの運転に関する制御を行うコントローラ部と、を備えており、前記画像記録装置の操作が可能な画像記録装置操作モード時には、前記コントローラ部は、前記階入力部を構成する前記入力部と前記画像記録装置に対する操作との対応関係に従い、前記階入力部を前記画像記録装置の操作部として機能させる。
【００１４】
また、請求項２に記載のエレベータ用監視システムは、請求項１に記載のエレベータ用監視システムであって、前記乗りかご内に設置されており、前記画像記録装置が記録している画像の表示が可能な表示部を、さらに備えており、前記画像記録装置操作モード時に、前記表示部には、前記階入力部を構成する前記入力部と前記画像記録装置に対する操作との前記対応関係を示す画像が表示される。
【００１５】
また、請求項３に記載のエレベータ用監視システムは、請求項１に記載のエレベータ用監視システムであって、コントローラ部は、前記階入力部を構成する前記入力部と前記画像記録装置に対する操作との前記対応関係の設定が可能であり、前記階入力部を構成する所定の入力部からの入力と前記対応関係とに基づいて、前記画像記録装置に対して所定の操作を制御する。
【００１６】
また、請求項４に記載のエレベータ用監視システムは、請求項３に記載のエレベータ用監視システムであって、前記コントローラ部は、書き換え可能な記憶部を有しており、前記記憶部には、前記階入力部を構成する前記入力部と前記画像記録装置に対する操作との前記対応関係が、記憶される。
【００１７】
また、請求項５に記載のエレベータ用監視システムは、乗りかごと、前記乗りかごに設置されており、前記乗りかご内を撮像するカメラと、前記カメラで撮像された画像の記録が可能な画像記録装置と、前記画像記録装置に所定のコマンドを送信することにより、前記画像記録装置に対する操作を制御するコマンドシステムを有するコントローラ部と、を備えるエレベータ用監視システムにおいて、前記乗りかご内に設置されており、複数の入力部から構成されており、前記乗りかごの停止階の操作が可能な階入力部を、さらに備えており、前記コントローラ部は、前記階入力部を構成する前記入力部と前記画像記録装置に対する操作との対応関係の設定が可能であり、前記階入力部を構成する所定の前記入力部からの入力を受信し、前記コマンドシステムを利用することにより、前記所定の入力部からの前記入力と前記対応関係とに基づいて前記画像記録装置に対して所定の操作制御を行う。
【００１８】
また、請求項６に記載のエレベータ用監視システムは、請求項１または請求項５に記載のエレベータ用監視システムであって、前記エレベータ用監視システムは、所定の通信網を介して、外部に存する外部装置と接続されている。
【発明の効果】
【００１９】
本発明の請求項１に記載のエレベータ用監視システムは、画像記録装置操作モード時には、コントローラ部は、前記階入力部を構成する前記入力部と前記画像記録装置に対する操作との対応関係に従い、前記階入力部を画像記録装置の操作部として機能させている。つまり、既設の操作部を画像記録装置の操作部としても利用している。したがって、リモートコントローラ等のような別部材を別途設け、持ち運ぶ等の必要性が無くなるので、画像記録装置の操作の利便性が向上し、また当該システムの提供するに際するコスト高を抑制できる。さらに、階入力部を画像記録装置の操作部として機能させているので、当該画像記録装置の操作性を十分持たせることができる。これは、通常階入力部は、多数の入力部から構成されているからである。
【００２０】
また、請求項２に記載のエレベータ用監視システムでは、表示部を備えており、当該表示部には、画像記録装置操作モード時に、階入力部を構成する入力部と画像記録装置に対する操作との対応関係を示す画像を表示される。したがって、乗りかご内の保守員等は、当該表示部を見ることにより、階入力部を構成する各入力部が、どの操作に対応するかを容易に認識することができる。
【００２１】
また、請求項３に記載のエレベータ用監視システムは、コントローラ部は、階入力部を構成する入力部と画像記録装置に対する操作との対応関係の設定が可能であり、階入力部を構成する所定の入力部からの入力と対応関係とに基づいて、画像記録装置に対して所定の操作を制御している。したがって、画像記録装置が複数有る（これに起因して上記対応関係も複数存在する）場合にも、当該コントローラ部において、複数の上記対応関係を一元で設定・管理できる。
【００２２】
また、請求項４に記載のエレベータ用監視システムでは、コントローラ部は、書き換え可能な記憶部を有しており、記憶部には、階入力部を構成する入力部と画像記録装置に対する操作との対応関係が記憶される。したがって、階入力部を構成する各入力部と画像記録装置４の諸操作との対応関係を、いつでも容易に変更することができる。
【００２３】
また、請求項５に記載のエレベータ用監視システムは、画像記録装置に所定のコマンドを送信することにより、画像記録装置に対する操作を制御するコマンドシステムを有するコントローラ部とを備えるエレベータ用監視システムであって、コントローラ部は、階入力部を構成する入力部と画像記録装置に対する操作との対応関係の設定が可能であり、階入力部を構成する所定の入力部からの入力を受信し、コマンドシステムを利用することにより、所定の入力部からの入力と対応関係とに基づいて画像記録装置に対して所定の操作制御を行う。したがって、上記コマンドシステムを有するエレベータシステムが既に存在する場合には、余分なコマンド体系等を導入すること無く、階入力部を画像記録装置の操作部として機能させるエレベータ用監視システムを採用することができる。
【００２４】
また、請求項６に記載のエレベータ用監視システムは、所定の通信網を介して、外部に存する外部装置と接続されている。したがって、当該エレベータ用監視システムを遠隔から操作することも可能となり、また、画像記録装置に記録されている画像の遠隔からの視聴も可能となる。
【発明を実施するための最良の形態】
【００２５】
以下、この発明をその実施の形態を示す図面に基づいて具体的に説明する。
【００２６】
＜実施の形態１＞
図１は、本実施の形態に係わるエレベータ用監視システムの構成を示す図である。
【００２７】
図１に示すように当該エレベータ用監視システムは、乗りかご１、階入力部２、カメラ３、画像記録再生装置（以下、単に画像記録装置と称する）４、表示部５、およびエレベータコントローラ部（以下、単にコントローラ部と称する）６、モード切替部９等により構成されている。
【００２８】
なお、図１に示すように、画像記録装置４とコントローラ部６との間には、通信線７が配設されている。また階入力部２とコントローラ部６との間には、通信線８が配設されている。また、画像記録装置４と表示部５との間には、通信線１０が配設されている。また、モード切替部９と画像記録装置４との間には、通信線１１が配設されている。さらに、カメラ３と画像記録装置４との間には、通信線１２が配設されている。
【００２９】
ここで、以下の説明では、各通信線７，８，１０，１１，１２は有線であるとする。しかし、各通信線７，８，１０，１１，１２の一部もしくは全部は、もちろん無線であってもかまわない。
【００３０】
図１で示した、乗りかご１には、人等の乗り降りが可能な筐体であり、建築物内を上下方向に昇降する。
【００３１】
また、図１に示すように階入力部２は、乗りかご１内に設置されている。階入力部２は、複数の入力部から構成されており、入力部は各々、建築物内の各フロアーと対応している。これにより、乗りかご１の停止階を、対応する入力部の操作によって制御できる。たとえば、「１」と表記された入力部（たとえばボタンスイッチ）が入力されると、乗りかご１は１階のフロアーまで移動し、当該１階のフロアーで停止する。また、「４」と表記された入力部が入力されると、乗りかご１は４階のフロアーまで移動し、当該４階のフロアーで停止する。
【００３２】
また、カメラ３は乗りかご１内に設置されており、当該乗りかご１内の様子を撮像することができる。
【００３３】
また、画像記録装置４は乗りかご１の上部に設置されており、カメラ３で撮像された画像の記録が可能な装置である。
【００３４】
また、表示部５は、乗りかご１内に設置されている。後述する通常運転モード時には、当該表示部５には、たとえば広告、時事情報、カメラ３がリアルタイムで撮像している乗りかご１内の様子、またはユーザがこれから行こうとするフロアーの様子等が表示される。これに対して後述する画像記録装置操作モード時には、当該表示部５には、画像記録装置が記録している画像の表示、および対応関係（階入力部２を構成する入力部と画像記録装置４に対する操作との対応関係）等も表示される。
【００３５】
コントローラ部６は、乗りかご１と離れた場所に設置されている。コントローラ部６は、エレベータの運転に関する制御を行う部分である。当該コントローラ部６は、通常運転モード時には、たとえば階入力部２の入力に応じて乗りかご１の昇降・停止を制御する。つまり、通常運転モードとは、エレベータの通常の運転を行うモードである。
【００３６】
またコントローラ部６は、通常運転モードおよび画像記録装置操作モードのモード切替えを行う。そして、当該コントローラ部６は、画像記録装置操作モード時には、階入力部２を、画像記録装置４の操作部として機能させる（つまり、画像記録装置モードとは、画像記録装置４を階入力部２の入力に応じて操作することができるモードである）。
【００３７】
より具体的には、コントローラ部６には、対応関係（階入力部２を構成する入力部と画像記録装置４に対する操作との対応関係）を示すテーブルが予め設定（記憶）されている。そして、画像記録装置操作モードでは、コントローラ部６は、階入力部２の入力と当該テーブルとに基づいて、画像記録装置４に対して所定の操作（再生・一時停止等）を制御する。なお、当該画像記録装置４の操作制御は、コントローラ部６が画像記録装置４に所定のコマンドを送信することにより実現される。
【００３８】
コントローラ部６は、たとえばＦＬＡＳＨメモリ等の不揮発性で書き換え可能な記憶部（図示せず）を有しており、当該記憶部に上記対応関係が記憶される。
【００３９】
なお、本実施の形態では、コントローラ部６が上記対応関係を設定できる場合に言及する。しかし、画像記録装置４が上記対応関係の設定が可能であっても良い。当該場合には、コントローラ部６は、当該対応関係と階入力部２を構成する所定の入力部とに基づいて導出された所定の操作に関するコマンドを画像記録装置４に送信する。当該コマンドを受信した画像記録装置４は、当該コマンドに従い所定の操作を実行する。
【００４０】
また、乗りかご１内には、モード切替部９が設置されており、当該モード切替部９の入力により、通常運転モードおよび画像記録装置操作モードの相互間のモード切替えが可能となる。
【００４１】
以下、図１、２、３を用いて、本実施の形態に係わるエレベータ用監視システムの動作について説明する。ここで、図２は、通常運転モードから画像記録装置操作モードまでのエレベータ用監視システムの動作の流れを示すフローチャートである。また、図３は、画像記録装置操作モードから通常運転モードまでのエレベータ用監視システムの動作の流れを示すフローチャートである。
【００４２】
まず、図２を用いて、通常運転モードから画像記録装置操作モードまでのエレベータ用監視システムの動作の流れについて説明する。
【００４３】
エレベータ用監視システムは、通常運転モード時である（ステップＳ１）。つまり、ユーザを所定のフロアーにおいて乗せるまたは降ろすために、コントローラ部６の制御の下、乗りかご１は昇降・停止運転を行っている。また、表示部５には、たとえば広告、時事情報、カメラ３がリアルタイムで撮像している乗りかご１内の様子、またはユーザがこれから行こうとするフロアー内の様子等が表示されている。
【００４４】
当該通常運転モード時においてコントローラ部６は、モード切替部９が入力されたか否かを判断している（ステップＳ２）。
【００４５】
たとえば、画像記録装置４を含めたエレベータの保守を目的として乗りかご１内に保守員等が乗り込み、通常運転モードから画像記録装置操作モードへとモードを切替えるために、当該保守員等がモード切替部９を入力したとする（ステップＳ２で「Ｙ」）。すると、コントローラ部６は、モード切替え動作を開始する（ステップＳ３）。
【００４６】
なお、通信線１１、画像記録装置４および通信線７を介してコントローラ部６へ入力されてくるモード切替部９からの入力信号がコントローラ部６で受信されるか否かにより、当該コントローラ部６は、ステップＳ２の判断を行っている。
【００４７】
また、当該モード切替部９からの入力信号は、画像記録装置４を介さず、直接コントローラ部６へ送信される形態を採用しても良い。
【００４８】
これに対して、モード切替部９の入力が無い場合には（ステップＳ２で「Ｎ」）、当該モード切替部９からの入力があるまで、コントローラ部６は、通常運転モードにおいて所定の制御を行いながら、ステップＳ２の判断を継続する。
【００４９】
さて、ステップＳ３においてモード切替え動作を開始したコントローラ部６は、次に、通常運転モードを画像記録装置操作モードへとモードの切替えが可能か否かを判断する（ステップＳ４）。
【００５０】
たとえば、モード切替部９の入力がある前に、各フロアーに設置されている入力部（図示せず）が入力されている場合（つまり、乗りかご１が所定のフロアーに到着することを要求する信号を、コントローラ部６が受信している場合）、または、モード切替部９の入力がある前に、乗りかご１内の階入力部２の入力があった場合等を想定する。つまり、保守員等が乗りかご１内に乗り込んでいる状態で、当該乗りかご１が昇降している場合を想定する。当該場合には、コントローラ部６は、モードの切替えが不可能であると判断し（ステップＳ４で「Ｎ」）、モードの切替えが可能な状態となるまでステップＳ４の判断を継続する。
【００５１】
これに対して、保守員等が乗りかご１内に乗車している状態で、当該乗りかご１が停止している場合（つまり、モード切替部９の入力前において、当該乗りかご１の昇降を要求する操作がなされていない場合または当該要求が解消された場合）には、コントローラ部６は、モードの切替えが可能であると判断する（ステップＳ４で「Ｙ」）。
【００５２】
そして、ステップＳ４において「Ｙ」と判断した、コントローラ部６は、エレベータ用監視システムのモードを通常運転モードから画像記録装置操作モードへと移行させる（ステップＳ５）。また、モードの切替えを行ったコントローラ部６は、画像記録装置４に、モードが画像記録装置操作モードへと移行した旨の信号および、階入力部２を構成する入力部と画像記録装置４に対する操作との対応関係を示すデータを送信する（ステップＳ５）。
【００５３】
なお、当該移行した旨の信号とデータとは、信号線７を利用して送信される。また、当該信号およびデータを受信した画像記録装置４は、表示部５に当該対応関係を表示する（ステップＳ５）。つまり、対応関係を示すデータを画像記録装置４に送信するのは、表示部５に当該対応関係を表示させるためであると理解できる。
【００５４】
図４に、上記画像記録装置操作モード時に表示部５に表示される上記対応関係の一例を示す。図４に例示する対応関係では、たとえば階入力部２の「１」と表記された入力部には、画像記憶装置４の再生操作が対応している。また、たとえば階入力部２の「６」と表記された入力部には、画像記憶装置４のコマ戻し操作が対応している。
【００５５】
ここで、当該対応関係のテーブルは、コントローラ部６が有する書き換え可能な記憶部（図示せず）に記憶されている。したがって、任意の対応関係に設定（変更）することができる。
【００５６】
たとえば、再生、停止等の通常画像再生操作時に良く使われる諸操作を、なるべく低フロワーの入力部と対応させても良い。こうすることにより、たとえばフロアー階数の少ない建築物に設置されているエレベータシステムにおいても、最低限の画像記録装置４の操作性を確保することができる。また、ビルオーナ等から特別な要求が有る場合には、当該要求に応じて当該対応関係を変更（設定）すれば良い。
【００５７】
なお、画像記録装置操作モード時に画像記録装置４に記憶されている画像を表示部５に表示しないときには、当該表示部５に、上記対応関係（たとえば図４）とともにカメラ３が撮像している乗りかご１内のリアル映像を表示しても良い（図５参照）。なお、図５に示すように、当該リアル映像と上記対応関係とを並べて表示しても良く、また、当該リアル映像上の一部に上記対応関係を半透過で表示しても良い（図示せず）。
【００５８】
なお、上記のように、通常運転モードから画像記録装置操作モードへと移行した場合には、乗りかご１内に設置されている階入力部２等の操作部を点灯させても良い。こうすることにより、保守員等は、画像記録装置操作モードに移行したことを認知することができる。
【００５９】
ステップＳ５後（つまり、画像記録装置操作モード切替え後）において、コントローラ部６は、階入力部２が入力されたか否かを判断する（ステップＳ６）。
【００６０】
もし、画像記録装置操作モード時において階入力部２からの入力が無い場合には（ステップＳ６で「Ｎ」）、コントローラ部６は、ステップＳ６の判断を継続する。
【００６１】
これに対して、画像記録装置操作モード時において階入力部２からの入力があった場合には（ステップＳ６で「Ｙ」）、コントローラ部６は、入力された階入力部２を構成する入力部に対応した操作を画像記録装置４に実行させる（ステップＳ７）。なお当然であるが、コントローラ部６は通常運転モードから画像記録装置操作モードにモードが切替わっていることを認識しているので、階入力部２に入力があったとしても、乗りかご１が昇降することは無い。
【００６２】
たとえば、画像記録装置操作モード時に「１」と表記された入力部が入力されたと判断した場合には、コントローラ部６は、画像記録装置４に対して再生操作を実行させる（ステップＳ７）。またたとえば、画像記録装置操作モード時に「６」と表記された入力部が入力されたと判断した場合には、コントローラ部６は、画像記録装置４に対してコマ戻し操作を実行させる（ステップＳ７）。
【００６３】
なお、階入力部２の所定の入力部が入力されてから、画像記憶装置４が所定の動作を行うまでの流れは、以下の通りである。
【００６４】
まず、階入力部２において所定の入力部の入力操作があると、当該所定の入力部が入力された旨の信号が、信号線８を介してコントローラ部６に向けて伝達される。階入力部２からの当該信号を受信したコントローラ部６では、当該コントローラ部６で予め設定（記憶）されている図４に例示した対応関係を示すテーブルと当該受信した信号とに基づいて、当該所定の入力部に対応する所定の操作を導出する。そして、コントローラ部６は、当該所定の操作に関するコマンドを、信号線７を介して画像記憶装置４に向けて送信する。当該コマンドを受信した画像記録装置４は、当該コマンドに基づいて上記所定の操作を実行する。
【００６５】
なお、画像記録装置４が再生等の操作を行った場合には、画像は表示部５に表示される。なお、画像記憶装置操作モード時にはたとえ画像記録装置４の操作が行われたとしても、図５を用いて説明したように、当該再生画像等と上記対応関係とを並べて表示しても良く、また、当該再生画像上の一部に上記対応関係を半透過で表示しても良い。つまり、画像記録装置操作モード時には、常に上記対応関係を表示部４に表示させることが望ましい。
【００６６】
次に、図３を用いて、画像記録装置操作モードから通常運転モードまでのエレベータ用監視システムの動作の流れについて説明する。
【００６７】
エレベータ用監視システムは、画像記憶装置操作モード時である（ステップＳ１１）。つまり、図２で示したステップＳ６およびステップＳ７の動作を繰り返している。
【００６８】
当該画像記憶装置操作モード時においてコントローラ部６は、モード切替部９が入力されたか否かを判断している（ステップＳ１２）。
【００６９】
たとえば、保守員等が一通り画像記録装置４を含めたエレベータの保守・検査を終え、画像記録装置操作モードから通常運転モードへとモードを切替えるために、当該保守員等がモード切替部９を入力したとする（ステップＳ１２で「Ｙ」）。すると、コントローラ部６は、モード切替え動作を開始する（ステップＳ１３）。
【００７０】
なお前述と同様に、通信線１１、画像記録装置４および通信線７を介してコントローラ部６へ入力されてくるモード切替部９からの入力信号がコントローラ部６で受信されるか否かにより、当該コントローラ部６は、ステップＳ１２の判断を行っている。
【００７１】
これに対して、モード切替部９の入力が無い場合には（ステップＳ１２で「Ｎ」）、当該モード切替部９からの入力があるまで、コントローラ部６は、画像記録装置操作モードにおいて所定の制御を行いながら（図２のステップＳ６，Ｓ７）、ステップＳ１２の判断を継続する。
【００７２】
さて、ステップＳ１３においてモード切替え動作を開始したコントローラ部６は、次に、画像記録装置操作モードを通常運転モードへとモードの切替えが可能か否かを判断する（ステップＳ１４）。
【００７３】
たとえば、コントローラ部６に所定の条件（たとえば、乗りかご１の起動を再開する前に乗りかご１の安全運転の観点から定められる条件等）が設定（記憶）されており、当該条件を満たした場合等には、コントローラ部６は、モードの切替えが可能であると判断する（ステップＳ１４で「Ｙ」）。
【００７４】
そして、ステップＳ１４において「Ｙ」と判断した、コントローラ部６は、エレベータ用監視システムのモードを画像記録装置操作モードから通常運転モードへと移行させる（ステップＳ１５）。その後、エレベータ用監視システムは、通常のエレベータ動作を再開する。
【００７５】
また、モードの切替えを行ったコントローラ部６は、画像記録装置４に、モードが通常運転モードへと移行した旨の信号を送信する（ステップＳ１５）。
【００７６】
なお、当該移行した旨の信号は、信号線７を利用して送信される。また、当該信号を受信した画像記録装置４は、表示部５に表示させていた画像を、たとえば上記で例示した通常モード時の画像（広告等）に切替える（ステップＳ１５）。
【００７７】
これに対して、たとえば、コントローラ部６に所定の条件が設定（記憶）されており、所定の条件を満たさない場合等には、コントローラ部６は、モードの切替えが不可能であると判断する（ステップＳ１４で「Ｎ」）。そしてコントローラ部６は、モードの切替えが可能な状態となるまで（たとえば、設定されている所定の条件が満たされるまで）ステップＳ１４の判断を継続する。
【００７８】
以上のように本実施の形態に係わるエレベータ用監視システムは、画像記録装置操作モード時には、乗りかご１内に既設置されている階入力部（階入力部２を構成する入力部はフロアーの停止要求の際にも入力される）２を画像記録装置４の操作用入力部として機能させている。つまり、画像記録装置操作モード時には、既設置の階入力部２を操作することにより画像記録装置４に対する諸操作を可能にしている。
【００７９】
したがって、リモートコントローラ等のように画像記録装置４の操作のための部材を別途用意する必要が無いので、利便性が良い。
【００８０】
また、通常エレベータが設置される建築物は複数のフロアーを有している。また、上述の通り、階入力部２の入力部はフロアーの停止要求の際にも入力される。よって、乗りかご１内に設けられる階入力部２を構成する各入力部は、複数である。したがって、画像記録装置４の様々な操作を当該階入力部２の各入力部に対応させることができる。つまり、本実施の形態に係わるエレベータ用監視システムを採用することにより、画像記録装置４に対する十分な操作性を確保することができる。
【００８１】
さらに、上述したように、画像記録装置４を乗りかご１内から遠隔操作するに際して、操作部等の別部材を設置する必要が無く、当該画像記録装置４の操作には既設置されている階入力部２を用いている。したがって、余分な部材を要さないので、システム全体のコスト高を抑制することができる。
【００８２】
また、上記対応関係を示すテーブルは画像記録装置４に対しても設定（記憶）可能であるが、本実施の形態に係わるエレベータ用監視システムでは、コントローラ部６が図４で例示した対応関係を示すテーブルが設定されている。そして、当該テーブルと階入力部２を構成する所定の入力部からの入力信号とに基づいて、コントローラ部６は画像記録装置４に対する所定の操作の制御を行っている。
【００８３】
したがって、たとえば、コントローラ部６が、複数の乗りかご１（各乗りかご１上に設置されている画像記録装置４）を管理・制御している場合には、各画像記録装置４毎に上記対応関係（テーブル）を設定・管理する必要が無くなり、コントローラ部６において各上記対応関係（テーブル）を一元で設定・管理できる。
【００８４】
また、本実施の形態に係わるエレベータ用監視システムでは、表示部５を備えており、当該表示部５には、図４に例示した対応関係が表示される。したがって、乗りかご１内から画像記録装置４の操作を行おうとする者は、どの階入力部２のどの入力部が画像記録装置４に対するどの操作に対応するかを、当該表示部５を見るだけで容易に見出すことできる。
【００８５】
また、本実施の形態に係わるエレベータ用監視システムでは、コントローラ部６は書き換え可能な記憶部を備えている。そして、当該記憶部には、図４に例示した対応関係を示すテーブルが記憶されている。したがって、階入力部２を構成する各入力部と画像記録装置４の諸操作との関係を、いつでも容易に変更することができる。
【００８６】
なお、たとえば本実施の形態に係わるエレベータ用監視システムが導入される建築物が高層ビル等であり、多数のフロアーから構成されているとする。当該場合には、画像記録装置４に対する諸操作数よりも、当該高層ビル等のフロアー数の方が多くなる場合がある。このような場合には、階入力部２の必要な入力部のみを当該画像記録装置４の諸操作に対応させれば良い。
【００８７】
＜実施の形態２＞
たとえば、実施の形態１に係わるエレベータ用監視システムが導入される前提として、既存として図６に示すようなエレベータ用監視システムが存在したとする。まず、当該図６に示すエレベータ用監視システムについて説明する。
【００８８】
通常のエレベータの動作の一例は次の通りである。たとえば、階入力部２の所定の入力部を入力する。すると、コントローラ部６は当該入力を信号線８を介して認識する。そして、コントローラ部６は、所定の入力部に対応するフロアーまで乗りかご１を移動させる。
【００８９】
また、乗りかご１内には、カメラ３が設置されており、当該カメラ３が撮像した乗りかご１内の様子は、信号線１２を介して画像記録装置４に記録される。なお、乗りかご１内には、乗りかご１内には表示部５が設置されており、たとえば当該乗りかご１内に存する人が所定の映像（広告等）を楽しむことができる。
【００９０】
図６で示したエレベータ用監視システムにおいて、画像記録装置４内に記録されている画像を再生等する場合には、次の様な方法がある。
【００９１】
当該エレベータ用監視システムとは離隔して（つまり当該エレベータ用監視システム外には）、外部装置（たとえば管制センター）２１が存在している。ここで、図６に示すように、コントローラ部６と外部装置２１とは、たとえば公衆回線（通信網と把握できる）２０を介して接続されている。
【００９２】
さて、当該構成において、外部装置２１から画像記録装置４の操作に関する命令が出力されたとする。すると、当該命令を受信したコントローラ部６は、信号線７を介して当該命令に対応した所定のコマンドを画像記録装置４に送信する。そして、当該コマンドを受信した画像記録装置４は、当該コマンドに応じた（つまり、外部装置２１から出力された命令に応じた）所定の操作を実行する。
【００９３】
以降、コントローラ部６が、画像記録装置４に所定のコマンドを送信することにより、画像記録装置４に対する操作を制御するシステムを、コマンドシステムと称する。
【００９４】
なお、画像記録装置４で再生等された画像データは、同じく信号線７を利用してコントローラ部６へ一度送信される。そして当該コントローラ部６は、公衆回線２０を介して、当該受信した画像データを外部装置２１に対して送信する。これにより、外部装置２１において画像記録装置４に記憶されている画像を視聴できる。
【００９５】
以上のようなエレベータ用監視システム（図６）が存在したとする。本実施の形態に係わる発明は、たとえば、当該図６に示したシステム（つまり、既存にコマンドシステムを備えるエレベータ用監視システム）に実施の形態１で説明したエレベータ用監視システム（つまり、画像記録装置操作モード時には、階入力部２を、画像記録装置４の操作部として機能させるシステム）に適用する場合のものである。
【００９６】
図７は、本実施の形態に係わるエレベータ用監視システムの構成を示す図である。
【００９７】
図１と図７との比較から分かるように、実施の形態１と本実施の形態との間において、エレベータ用監視システムの構成は、同じである。ここで実施の形態１では、図４に例示した対応関係は、画像記録装置４およびコントローラ部６のどちらに設定（記憶）させても良いと説明した。しかし、本実施の形態では、コントローラ部６に当該対応関係（より具体的には、当該対応関係を示すテーブル）が設定（記憶）されるものとする。
【００９８】
さらに、両実施の形態を比較すると、本実施の形態に係わるエレベータ用監視システムは、公衆回線（通信網と把握できる）２０を介して、当該エレベータ用監視システム外に存する外部装置２１と接続されている。
【００９９】
また、図６と図７とを比較すると、図６に示すエレベータ用監視システムに以下の変更を加えることにより、本実施の形態に係わるエレベータ用監視システムが構築されると理解できる。
【０１００】
つまり、本実施の形態に係わるエレベータ用監視システムを構築するためには、図６に示したシステムを土台として、乗りかご１内にはモード切替部９を設ける。また、実施の形態１で説明した信号線１０，１１も設ける。さらに、階入力部２を構成する入力部と画像記録装置４に対する操作との対応関係（たとえば図４）をコントローラ部６に設定（記憶）させる。
【０１０１】
図６に以上の変更を加えることにより、本実施の形態に係わるエレベータ用監視システムが構築される。なお、当該本実施の形態に係わるエレベータ用監視システムでは、画像記録装置操作モード時には、当該コントローラ部６は、階入力部を構成する所定の入力部からの入力を受信し、上記コマンドシステムを利用することにより、所定の入力部からの入力と上記対応関係とに基づいて画像記録装置４に対して所定の操作制御を行う。
【０１０２】
本実施の形態に係わるエレベータ用監視システムにおける、上記コマンドシステムを利用した画像記憶装置４の操作は、以下のステップにより実施される。
【０１０３】
画像記憶装置操作モード時において、階入力部２を構成する所定の入力部が入力される。すると、当該所定の入力部からの入力を信号線８を介してコントローラ部６が認識する。そして、コントローラ部６は、階入力部２を構成する入力部と画像記録装置４に対する操作との対応関係（たとえば図４）と前記所定の入力部からの入力とに基づいて、所定のコマンドを導出し、当該所定のコマンドを信号線７を介して画像記録装置４に対して送信する。当該所定のコマンドを受信した画像記憶装置４では、当該所定のコマンド（換言すれば、所定の入力部からの入力）に応じた所定の操作が実施される。
【０１０４】
上記から分かるように、本実施の形態に係わるエレベータ用監視システムでは、外部装置２１からの遠隔操作時だけで無く、画像記録装置操作モード時において階入力部２からの入力に応じてコントローラ部６が画像記録装置４の操作を制御する際にも、上記コマンドシステム（すなわち、コントローラ部６が画像記録装置４に所定のコマンドを送信することにより、画像記録装置４に対する所定の操作を制御するシステム）が利用されている。
【０１０５】
なお、本実施の形態に係わるエレベータ用監視システムの上記以外の動作は、実施の形態１で説明した動作および図６を用いて説明した動作（つまり、上記コマンドシステムを利用した、外部装置２１からの画像記憶装置４に対する遠隔操作動作）と同様である。
【０１０６】
ここで、実施の形態１でも説明したように、各通信線７，８，１０，１１，１２は有線であるとする。しかし、各通信線７，８，１０，１１，１２の一部もしくは全部は、もちろん無線であってもかまわない。
【０１０７】
以上のように、本実施の形態に係わるエレベータ用監視システムでは、上記コマンドシステムを有するエレベータ用監視システムが既設置されている場合には、画像記録装置操作モード時における階入力部２からの入力に応じた画像記憶装置４の操作制御時においても上記コマンドシステムを有効活用している。
【０１０８】
したがって、たとえば図６で示したエレベータ用監視システムに対して、実施の形態１に係わるエレベータ用監視システム（つまり、画像記録装置操作モード時には、階入力部２を、画像記録装置４の操作部として機能させるシステム）を導入したとしても、新たなシステム導入を最小限に抑えることができ、新たなコマンド体系（階入力部２の入力により画像記録装置４を操作するために、コントローラ部６で設定され得るコマンド体系）を設ける必要が無いので、当該導入コストの削減を図ることができる。
【０１０９】
なお、図８に示すように、エレベータ用監視システムは、公衆回線（通信網）２０を介して複数の外部装置２１，２２と接続されていても良い。たとえば、外部装置２１は、上記のように管理センター等に配置されており、画像記録装置４に対する遠隔操作等のために用いられる。また、外部装置２２は、たとえばビルオーナ等が所有しており、画像記録装置４の操作を行わず、画像記録装置４に記録されている画像を視認する等のために用いられる。
【０１１０】
このように、エレベータ用監視システムと外部装置とを接続することにより、当該エレベータ用監視システムを遠隔から操作することも可能となり、また、画像記録装置４に記録されている画像の遠隔からの視聴も可能となる。
【図面の簡単な説明】
【０１１１】
【図１】実施の形態１に係わるエレベータ用監視システムの構成を示す図である。
【図２】実施の形態１に係わるエレベータ用監視システムの動作を説明するためのフローチャートである。
【図３】実施の形態１に係わるエレベータ用監視システムの動作を説明するためのフローチャートである。
【図４】階入力部を構成する各入力部と画像記録装置の操作との対応関係の一例を示す図である。
【図５】表示部に表示される画像例を示す図である。
【図６】コマンドシステムを有するエレベータ用監視システムの構成例を示す図である。
【図７】実施の形態２に係わるエレベータ用監視システムの構成を示す図である。
【図８】実施の形態２に係わるエレベータ用監視システムの他の構成を示す図である。
【符号の説明】
【０１１２】
１  乗りかご
２  階入力部
３  カメラ
４  画像記録（再生）装置
５  表示部
６  コントローラ部
７，８，１０，１１，１２  信号線
９  モード切替部
２０  公衆回線（通信網）
２１，２２  外部装置
【図１】
2007238192.tif 000003
【図２】
2007238192.tif 000004
【図３】
2007238192.tif 000005
【図４】
2007238192.tif 000006
【図５】
2007238192.tif 000007
【図６】
2007238192.tif 000008
【図７】
2007238192.tif 000009
【図８】
2007238192.tif 000010